(57)【特許請求の範囲】
【請求項１】
本容器に詰め替える内容物が収容される容器本体と、
該容器本体の口部に装着されると共に注出口が形成され、前記本容器の注入口部の開口端縁に当接可能で且つ前記注出口より径方向の外側に位置する当接部が設けられた装着筒と、
前記注出口を閉塞するシール壁と、を備え、
前記シール壁は、
外周縁部が前記注出口の内周面に接続されるとともに、前記シール壁に対して直交する放射軸を中心にして放射方向に延びるスリット状の切込み部が複数形成され、前記外周縁部から前記放射軸に向かうにしたがって漸次前記放射軸方向に沿う前記容器本体の内側へ向けて傾斜し、
該シール壁は、
前記外周縁部を支点にして揺動するようにして変形可能とされ、前記放射軸方向に沿う前記容器本体の外側へ向けて変形したときに前記切込み部の隙間が閉塞されることを特徴とする詰め替え容器。
【請求項２】
請求項１に記載の詰め替え容器において、
前記容器本体は、スクイズ変形可能な部材からなることを特徴とする詰め替え容器。
【発明の詳細な説明】
【技術分野】
【０００１】
本発明は、詰め替え容器に関するものである。
【背景技術】
【０００２】
この種の詰め替え容器として、従来、例えば下記特許文献１に記載されているような、本容器に詰め替えるための内容物を収容する容器本体と、容器本体の口部に装着されると共に口部を閉塞する中栓と、が備えられ、中栓を本容器の口部に螺着させて詰め替えを行う詰め替え容器が知られている。
上記した中栓には、内容物を注出するための注出口が形成されていると共に、この注出口を閉塞するシール部が設けられている。シール部は、例えばプルトップが付設された蓋体からなる。
【０００３】
上記した構成の詰め替え容器では、例えば、まずプルトップを引き上げて、中栓の注出口を開封する。続いて、詰め替え容器を正立姿勢（口部が上向きの姿勢）に配置し、詰め替え容器の中栓に倒立姿勢（口部が下向きの姿勢）の本容器の口部を螺着する。その後、詰め替え容器と本容器とを反転させて、本容器を正立姿勢にすると共に詰め替え容器を倒立姿勢にする。これにより、詰め替え容器内の内容物が、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記した従来の詰め替え容器では、中栓の注出口を開封した後、中栓に本容器の口部を螺着し、その後、詰め替え容器と本容器を上下反転させる必要があるので、詰め替え作業が煩雑になり易かった。
また、中栓の注出口を開封した後に本容器の口部を詰め替え容器の中栓に螺着するため、その螺合作業中に誤って詰め替え容器を倒すと、詰め替え容器内の内容物がこぼれ出るおそれがあった。
更に、中栓に本容器の口部を螺着する際に本容器を倒立姿勢にするため、本容器の内側に内容物が残留していると本容器内の内容物がこぼれ易かった。従って、本容器内の内容物を使い切った後でないと詰め替え作業を行い難かった。
【０００６】
本発明は、このような事情に鑑みてなされたものであって、その目的は、詰め替え作業を簡便に行うことができるうえ、詰め替え時に内容物をこぼし難く、また、本容器内の内容物が残留している場合であっても詰め替え作業を行うことができる詰め替え容器を提供することである。
【課題を解決するための手段】
【０００７】
上記の目的を達成するために、この発明は以下の手段を提供している。
本発明に係る詰め替え容器は、本容器に詰め替える内容物が収容される容器本体と、該容器本体の口部に装着されると共に注出口が形成され、前記本容器の注入口部の開口端縁に当接可能で且つ前記注出口より径方向の外側に位置する当接部が設けられた装着筒と、前記注出口を閉塞するシール壁と、を備え、前記シール壁は、外周縁部が前記注出口の内周面に接続されるとともに、前記シール壁に対して直交する放射軸を中心にして放射方向に延びるスリット状の切込み部が複数形成され、前記外周縁部から前記放射軸に向かうにしたがって漸次前記放射軸方向に沿う前記容器本体の内側へ向けて傾斜し、該シール壁は、前記外周縁部を支点にして揺動するようにして変形可能とされ、前記放射軸方向に沿う前記容器本体の外側へ向けて変形したときに前記切込み部の隙間が閉塞されることを特徴としている。
【０００８】
本発明に係る詰め替え容器によれば、本容器に内容物を詰め替える際に、まず、本容器に対して詰め替え容器を倒立姿勢で、装着筒の当接部を本容器の注入口部の開口端縁に当接させて、詰め替え容器と本容器とを組み合わせる。このとき、容器本体内の内容物の重量によってシール壁が下方に向けて押圧され、外周縁部を支点にして放射軸方向に沿う容器本体の外側へ向けて変形し、この変形によって切込み部で分割されて互いに隣接するシール壁の分割体どうしが密接して切込み部が塞がれて注出口を閉塞させることができるので、内容物がシール壁から漏れ難くなる。
そして、詰め替え容器の容器本体を圧縮させて内容物によってシール壁を強制的に押圧することで、シール壁がさらに放射軸方向に沿う容器本体の外側へ向けて変形し、切込み部の隙間が広がって注出口に流路が確保される。
これにより、詰め替え容器の容器本体内と本容器の注入口部内とが連通し、容器本体内の内容物が注入口部内に注出されて本容器内に詰め替えられる。
【０００９】
上述したように、当接部を注入口部の開口端縁に当接させた状態で詰め替え容器及び本容器を組み合わせた後、容器本体を圧縮するという簡便な作業によって内容物を詰め替えることができるので、詰め替え作業の容易化を図ることができる。
【００１０】
また、この詰め替え時に、注出口の外側に位置している当接部を注入口部の開口端縁に当接させるので、内容物をこぼし難い。
更に、本容器に内容物を詰め替える際に、本容器に対して詰め替え容器を倒立姿勢にしても、内容物がシール壁から漏出し難くなることから、本容器を倒立姿勢にすることなく詰め替え作業を行うことが可能になり、本容器内の内容物が残留している場合であっても内容物の詰め替えを行うことができる。
【００１１】
また、上記本発明の詰め替え容器において、前記容器本体は、スクイズ変形可能な部材からなることが好ましい。
【００１２】
この場合には、容器本体を圧縮するときに、過大な力を必要とせずにシール壁を内容物により押圧させることができ、内容物の詰め替え作業を容易に行うことが可能となる。
【発明の効果】
【００１３】
本発明に係る詰め替え容器によれば、詰め替え作業を簡便に行うことができるうえ、詰め替え時に内容物をこぼし難く、また、本容器内の内容物が残留している場合であっても詰め替え作業を行うことができる。
【図面の簡単な説明】
【００１４】
【図１】本発明に係る詰め替え容器の実施形態を示す縦断面図である。
【図２】図１に示すシール壁を本体容器内側から見た平面図である。
【図３】図１に示す詰め替え容器を本容器に組み合わせた状態を示す縦断面図である。
【図４】図２に示すシール壁を本体容器内側から見た平面図である。
【図５】図３に示す状態から、シール壁を変形させて内容物を詰め替えている状態を示す縦断面図である。
【発明を実施するための形態】
【００１５】
以下、本発明に係る詰め替え容器の実施形態について図面を参照して説明する。
図１に示すように、本実施形態の詰め替え容器１は、本容器２０（図３参照）に詰め替える内容物Ｍ（図３参照）が収容される容器本体２と、この容器本体２の口部２ａに装着されると共に注出口３が形成され、本容器２０の注入口部２１の開口端縁に当接可能な当接部（後述する凸部１３に相当）が設けられた装着筒４と、装着筒４の上端開口部を覆う着脱可能なキャップ５と、注出口３を閉塞するシール壁６と、を備えている。
【００１６】
なお、上述した容器本体２、装着筒４、キャップ５は、それぞれの中心軸線が共通軸上に位置された状態で配設されている。本実施形態ではこの共通軸を容器軸Ｏといい、上記詰め替え容器１において、容器軸Ｏに沿ったキャップ５側を上側、容器本体２側を下側という。また、容器軸Ｏに直交する方向を径方向といい、容器軸Ｏ回りに周回する方向を周方向という。
【００１７】
装着筒４は、下端部が容器本体２の口部２ａ内に嵌合された内筒部１０と、容器本体２の口部２ａに外嵌された外筒部１１と、内筒部１０の容器軸Ｏ方向の中間部と外筒部１１の上端部とを連結すると共に口部２ａの開口端縁上に載置された連結環１２と、を備えている。そして、内筒部１０の内面が上記注出口３となっている。
【００１８】
連結環１２の外周縁部には、径方向の外側に向けて開口する環状溝１２ｂが形成されている。
また、連結環１２の上面１２ａに周方向に間隔を開けて複数の凸部１３（当接部）が設けられている。これら凸部１３は、断面視Ｌ字状をなし、連結環１２の上面１２ａから内筒部１０の外周面１０ａにわたって形成されている。
【００１９】
キャップ５は、有頂筒状に形成され、天壁部１５に内筒部１０内に嵌合するシール筒１４が突設されるとともに、周壁部１６の下端縁１６ａが環状溝１２ｂに係止可能に配置されている。
周壁部１６の下端部１６ａには、径方向外側に突出する突部１６ｂが形成されている。そして、周壁部１６において、容器軸Ｏを径方向に挟む突部１６ｂの反対側に位置する部分が装着筒４の外筒部１１の上端（連結環１２の外周縁部）にヒンジ部１７を介して連結されている。
すなわち、キャップ５は、ヒンジ部１７を中心にして回動可能であり、これにより装着筒４の上端開口部を開閉する構成となっている（図１、図３参照）。
【００２０】
図１および図２に示すように、シール壁６は、外周縁部６ａが注出口３の内周面における容器軸Ｏ方向の中間部に接続されるとともに、容器軸Ｏと平行に延びる放射軸Ｃを中心にして放射方向（平面視で径方向）に延びるスリット状の切込み部６ｂが複数形成され、外周縁部６ａから放射軸Ｃに向かうにしたがって漸次下側へ傾斜している。これら切込み部６ｂは、放射軸Ｃからシール壁６の外周縁部６ａまで延びている。
ここで、放射軸Ｃは、シール壁６（詳細にはシール壁６の外周縁部６ａによって形成される平面）に対して直交する軸線である。なお、本実施形態では、放射軸Ｃは容器軸Ｏと一致している。
【００２１】
そして、図３及び図４に示すように、切込み部６ｂによって周方向に分割されたシール壁６の分割体は、それぞれが外周縁部６ａを支点とし、この支点を中心にして揺動するようにして変形可能であり、放射軸Ｃ方向に沿う容器本体２の外側へ向けて変形し、そのシール壁６が径方向に沿って略平面状となる位置で、切込み部６ｂの隙間が閉塞する構成となっている。
【００２２】
次に、上述したように構成された詰め替え容器１から本容器２０に内容物を詰め替える方法について説明する。
【００２３】
まず、図３に示すように、詰め替え容器１のキャップ５を装着筒４から取り外した後、詰め替え容器１を倒立姿勢にすると共に本容器２０を正立姿勢にした状態で、詰め替え容器１を本容器２０の上方に配置させる。そして、詰め替え容器１と本容器２０とを位置合わせしながら相対的に容器軸Ｏ方向に接近移動させ、図３に示すように、連結環１２の上面１２ａ（凸部１３）を本容器２０の注入口部２１の開口端縁に当接させて、詰め替え容器１と本容器２０とを組み合わせる。
この際、詰め替え容器１の装着筒４の内筒部１０の上端の一部は、本容器２０の注入口部２１内に差し込まれて該注入口部２１内に配設される。
【００２４】
ここで本実施形態では、上述したように詰め替え容器１を倒立姿勢とすることで、詰め替え容器１における上下が反転することとなり、倒立姿勢の詰め替え容器１において、容器軸Ｏ方向に沿ったキャップ５側が下側、容器本体２側が上側となる。
【００２５】
そして、図３及び図４に示すように、装着筒４の連結環１２を本容器２０の注入口部２１の開口端縁に当接させて、詰め替え容器１と本容器２０とを組み合わせると、容器本体２内の内容物Ｍの重量によってシール壁６が下方に向けて押圧され、外周縁部６ａを支点にして放射軸Ｃ方向に沿う容器本体２の外側へ向けて変形し、この変形によって切込み部６ｂで分割されて互いに隣接するシール壁６の分割体どうしが密接して切込み部６ｂが塞がれて注出口３を閉塞させることができるので、内容物Ｍがシール壁６から漏れ難くなる。
【００２６】
そして、図５に示すように、詰め替え容器１の容器本体２を圧縮させて内容物Ｍによってシール壁６を強制的に押圧することで、シール壁６がさらに放射軸Ｃ方向に沿う容器本体２の外側へ向けて変形し、切込み部６ｂの隙間が広がって注出口３に流路Ｒが確保される。
これにより、詰め替え容器１の容器本体２内と本容器２０の注入口部２１内とが連通し、容器本体２内の内容物Ｍを注入口部２１内に注出することができ（図５に示す矢印Ｅ）、内容物Ｍを詰め替え容器１から本容器２０内に詰め替えることができる。
【００２７】
なお、装着筒４の連結環１２（本実施形態では連結環１２に設けた複数の凸部１３）が本容器２０の注入口部２１の開口端縁に当接しており、連結環１２の上面１２ａと注入口部２１の開口端縁との間には隙間が設けられており、この隙間を通じて、本容器２０の内部と外部とを連通させることができる。そのため、この隙間を通じて本容器２０内の空気置換を行うことができ（図５に示す矢印Ｆ）、本容器２０内にスムーズに内容物Ｍを注出して詰め替え作業を効率良く行うことができる。
【００２８】
上述したように、本実施形態の詰め替え容器１によれば、装着筒４の連結環１２を本容器２０の注入口部２１の開口端縁に当接させた状態で詰め替え容器１及び本容器２０を組み合わせた後、容器本体２を潰して圧縮するという簡便な作業によって内容物Ｍを詰め替えることができるので、詰め替え作業の容易化を図ることができる。
【００２９】
また、この詰め替え時に、注出口３の外側に位置している凸部１３を注入口部２１の開口端縁に当接させるので、内容物Ｍをこぼし難い。
更に、本容器２０に内容物Ｍを詰め替える際に、本容器２０に対して詰め替え容器１を倒立姿勢にしても、内容物Ｍがシール壁６から漏出し難くなることから、本容器２０を倒立姿勢にすることなく詰め替え作業を行うことが可能になり、本容器２０内の内容物Ｍが残留している場合であっても内容物Ｍの詰め替えを行うことができる。
【００３０】
更にまた、容器本体２にスクイズ変形可能な部材を採用することで、容器本体２を圧縮するときに、過大な力を必要とせずにシール壁６を内容物Ｍにより押圧させることができ、内容物Ｍの詰め替え作業を容易に行うことが可能となる。
【００３１】
また、本実施形態の詰め替え容器１では、内容物Ｍの充填後に装着筒４を容器本体２に装着することも、装着筒４を容器本体２に装着した後に内容物Ｍを充填することも可能である。後者の場合には、充填ノズルを注出口３に挿入してシール壁６を放射軸Ｃ方向に沿う容器本体２の内側に変形させた状態で内容物Ｍを充填することが可能である。また、同様の手段を用いて、製造過程において減容している容器本体に対し空気を吹き込んで復元させることもできる。
【００３２】
なお、本発明の技術範囲は、上記実施形態に限定されるものではなく、本発明の趣旨を逸脱しない範囲において、種々の変更を加えることが可能である。
【００３３】
例えば、本実施形態ではシール壁６の放射軸Ｃが平面視円形のシール壁６の中心軸であって容器軸Ｏに一致しているが、放射軸Ｃ及び容器軸Ｏが必ずしも一致している必要はなく、放射軸Ｃが容器軸Ｏとずれた異なる位置であってもかまわない。
【００３４】
また、倒立姿勢の詰め替え容器１において、シール壁６の切込み部６ｂの密接力は、容器本体２内の内容物Ｍの自重によってシール壁６の分割体どうしが互いに密接し、切込み部６ｂの隙間が埋まる程度に切込み部６ｂの隙間寸法や傾斜角度を設定することが好ましい。
さらに、シール壁６の切込み部６ｂの設置数、つまりシール壁６の分割数は、任意に設定可能であるが、容器本体２を圧縮させることによって内容物Ｍがシール壁６を十分に押圧して変形させることが可能な程度の分割数に設定することが好ましい。
【００３５】
また、上記実施形態では、シール壁６が、装着筒４の内筒部１０の容器軸Ｏ方向で中間部に設ける構成としたが、注出口３を閉塞可能であればシール壁６の位置は制限されることはなく、内筒部１０の下端、あるいは上端などの任意の位置に設定することが可能である。
さらに、上記実施形態では、容器本体２を容器軸Ｏ方向に押し潰すように圧縮する構成としているが、例えば、容器本体の胴部を片手で把持した状態で径方向に容器本体を圧縮する構成とすることもでき、この場合においても簡単な操作で内容物によって大きな力でシール壁を押圧することができ、内容物の詰め替え作業を容易に行うことが可能となる。
【符号の説明】
【００３６】
Ｏ  容器軸
Ｃ  放射軸
Ｒ  流路
１  詰め替え容器
２  容器本体
２ａ  容器本体の口部
３  注出口
４  装着筒
５  キャップ
６  シール壁
６ａ  外周縁部
６ｂ  切込み部
１３  凸部（当接部）
２０  本容器
２１  本容器の注入口部
【図１】
0005452410.tif 000002
【図２】
0005452410.tif 000003
【図３】
0005452410.tif 000004
【図４】
0005452410.tif 000005
【図５】
0005452410.tif 000006